(57)【要約】【課題】顧客がこれから行おうとしている給油作業が誤油種給油の起こり易い給油作業であることを、給油管理者に注意喚起する。【解決手段】顧客が設定した補給油種若しくは顧客が選択操作した計量機１０の給油ノズル１２の供給油種が予め設定した確認油種である場合は、給油管理者は、給油管理機５０によるセルフサービス給油作業の許可操作の前に、別途確認操作が必要になる。【選択図】図７
2010241469.tif 000002
【特許請求の範囲】
【請求項１】
供給液種が異なる複数の給液ノズルを有する計量機と、当該計量機を用いた給液作業の開始に際して給液対象への補給液種を設定する給液端末機とに通信接続されて設けられ、表示装置及び入力装置を含む給液管理機であって、
前記給液端末機によって設定された前記計量機による補給液種を前記給液端末機から受信するとともに、前記計量機の選択操作された一の給液ノズルを表す信号を前記計量機から受信し、当該受信した補給液種及び当該選択操作された一の給液ノズルによる供給液種を前記表示装置の画面上に表示する監視手段と、
該監視手段による前記給液端末機からの補給液種の受信又は前記計量機からの選択操作された一の給液ノズルを表す信号の受信の中、少なくとも何れかの受信に対応して、前記補給液種又は供給液種が予め設定されている確認液種と一致するか否かを判定する確認要否判定手段と、
該確認要否判定手段の判定結果に基づいて、前記補給液種又は供給液種が確認液種と一致する場合には、前記入力装置を用いた確認操作入力及び当該確認操作入力後の許可操作入力に基づき、前記計量機の稼動を許可する許可信号を送信する一方、前記補給液種又は供給液種が確認液種と一致しない場合には、前記入力装置を用いた確認操作入力を省略し、前記入力装置を用いた許可操作入力に基づき、前記計量機の稼動を許可する許可信号を送信する計量機稼動制御手段と
を備えていることを特徴とする給液管理機。
【請求項２】
供給液種が異なる複数の給液ノズルを有する計量機と、当該計量機を用いた給液作業の開始に際して給液対象への補給液種を設定する給液端末機とに通信接続されて設けられ、表示装置及び入力装置を含む給液管理機であって、
前記給液端末機によって設定された前記計量機による補給液種を前記給液端末機から受信するとともに、前記計量機の選択操作された一の給液ノズルを表す信号を前記計量機から受信し、当該受信した補給液種及び当該選択操作された一の給液ノズルによる供給液種を前記表示装置の画面上に表示する監視手段と、
該監視手段による前記給液端末機からの補給液種の受信に対応して計時を開始し、予め設定されている所定時間以内に、前記計量機からの選択操作された一の給液ノズルを表す信号の受信がなされたか否かを判定する確認要否判定手段と、
該確認要否判定手段の判定結果に基づいて、前記所定時間以内に前記計量機からの選択操作された一の給液ノズルを表す信号の受信がなされなかった場合には、前記入力装置を用いた確認操作入力及び当該確認操作入力後の許可操作入力に基づき、前記計量機の稼動を許可する許可信号を送信する一方、前記所定時間以内に前記計量機からの選択操作された一の給液ノズルを表す信号の受信がなされた場合には、前記入力装置を用いた確認操作入力を省略し、前記入力装置を用いた許可操作入力に基づき、前記計量機の稼動を許可する許可信号を送信する計量機稼動制御手段と
を備えていることを特徴とする給液管理機。
【発明の詳細な説明】
【技術分野】
【０００１】
本発明は、セルサービス方式の給液ステーションに設置され、顧客による給液作業の実施の許可管理を行う給液管理機に係り、給液対象への誤給液の防止及び給液作業の安全性の向上をはかった給液管理機に関する。
【背景技術】
【０００２】
この種の給液ステーションの一例としてのセルフサービス方式給油所では、顧客自らが計量機の給油ノズルを操作して、給油対象である顧客車輌に対しての燃料油液の補給作業、いわゆる給油作業を行う。
【０００３】
このようなセルフサービス方式給油所では、給油エリアに停車した顧客車輌への補給油種（例えば、レギュラーガソリン，ハイオクガソリン，又は軽油）の違いに関係なく顧客自身が給油作業を行えるように、補給油種の違いに対応して複数の給油ノズルが備えられているマルチ式計量機が設けられている。これにより、顧客は、顧客車輌（給油対象車輌）の補給油種に関係なく、顧客車輌を給油所内の所望の給油エリアに停車させ、計量機を用い顧客車輌に対する給油作業を行うことができる。
【０００４】
上述したようなセルフサービス方式給油所では、顧客が、セルフサービス給油作業の際、補給油種とは異なる油種の給油ノズルを、ノズル掛けから取り出し、この誤った油種の給油ノズルにより、顧客車輌への給油作業を行ってしまうことを防止するため、例えば、特許第３９５４１８２号に記載されている給油システムが適用されている。
【０００５】
この給油システムでは、給油所事務所に設けられ、計量機及び当該計量機に対応する給油端末機と通信接続された給油管理機が、顧客が給油端末機を用いて予め設定した補給油種と、当該顧客が給油作業のために選択操作した計量機の給油ノズルの供給油種とを比較し、その比較結果が油種不一致である場合は、選択操作した給油ノズルが誤りである旨を報知する一方、比較結果が油種一致である場合は、給油管理機に備えられている許可ボタン（許可キー）の操作に基づく“給油許可待ち”であることを給油所事務所にいる給油管理者（給油所係員）に報知する構成になっている。
【０００６】
この結果、給油管理者は、顧客が予め設定した補給油種と異なる供給油種の給油ノズルを誤って取り出してしまった場合は、事務所内の給油管理機によって、計量機が配置された給油エリアまで出向かずとも顧客による給油ノズルの取り出し間違いを把握することができ、インターホン等により給油エリアの顧客に給油ノズルの取り出し間違いを案内できるようになっている。
【０００７】
また、給油管理者は、顧客が予め設定した補給油種と同じ油種の給油ノズルを取り出したことを給油管理機によって確認した場合は、給油管理機の許可ボタンを操作する。これにより、給油管理機から計量機にその作動を許可する許可信号が供給され、この許可信号の供給を受けた計量機は顧客の給油ノズル操作に基づいて給油対象に油液の供給作動を行うようになっている。
【先行技術文献】
【特許文献】
【０００８】
【特許文献１】特許第３９５４１８２号
【発明の概要】
【発明が解決しようとする課題】
【０００９】
上述した従来の給油システムは、顧客が設定した補給油種自体に誤りがないことを前提とするものであって、顧客による給油作業に用いる給油ノズルの取り出し間違い（選択間違い）を防止し、顧客がセルフサービス給油作業を安全に行うためには、非常に有効なシステムである。
【００１０】
しかしながら、セルフサービス方式給油所の顧客の中には、セルフサービス給油作業を初めて利用する顧客や、自身の車輌に補給すべき補給油種を覚えていない顧客もおり、そのような顧客が、給油作業条件の設定の際に、給油対象車輌本来の補給油種とは異なる不適合油種を補給油種として選定してしまい、給油対象車輌に誤油種給油してしまうことがあった。実際に、セルフサービス方式給油所では、「軽自動車だから軽油」，「トラック（商業車）だから必ず軽油」，「給油単価が安い方」等といった顧客の誤った認識から、ガソリン車輌に誤って軽油を補給してしまう誤油種給油（コンタミ給油）の発生が増加傾向にある。また、セルフサービス給油作業に慣れた顧客であっても、例えば、補給油種が異なる複数の車輌を使用する顧客の場合は、給油対象車輌を混同して補給油種を間違えて選定してしまうことがあり、本来の補給油種とは異なる不適合油種の燃料を給油対象車輌に給油してしまうこともあった。
【００１１】
このように、顧客が設定した補給油種自体からして誤りがあった場合には、上述した従来の給油システムのように、給油管理機を用いて、顧客が給油端末機を用いて設定した補給油種と、顧客が給油作業のために選択操作した給油ノズルの供給油種とを比較してみたところで、両者は一致してしまうため、その誤りを給油管理者及び顧客に警報することはできない、という問題点があった。
【００１２】
具体的には、本来の補給油種がレギュラーガソリン又はハイオクガソリンであるガソリン車両に対し、軽油を誤って補給してしまった場合は、顧客がその誤油種給油に気付かずにそのガソリン車両を発進させてしまうと、エンジンが走行中に突然停止してしまう虞がある。また、本来の補給油種が軽油である軽油車両に対し、レギュラーガソリン又はハイオクガソリンを補給してしまった場合は、顧客がその誤油種給油に気付かずにその軽油車両を発進させてしまうと、エンジン自体に深刻な損傷を与えて重大な損害を招くことに繋がる。
【００１３】
本発明は、上述した問題点を鑑みてなされたものであって、誤液種給液が起こり易い要注意の液種が顧客によって給液端末機を用いて補給液種として設定された場合は、顧客が計量機を用いてこれから行う給液作業が誤油種給液の起こり易い給液作業であることを、給液ステーションの事務所でその給液許可を行う給液管理者に注意喚起することができる給液管理機を提供することを目的とする。
【課題を解決するための手段】
【００１４】
本発明は、上述した課題を解決するために、供給液種が異なる複数の給液ノズルを有する計量機と、当該計量機を用いた給液作業の開始に際して給液対象への補給液種を設定する給液端末機とに通信接続されて設けられ、表示装置及び入力装置を含む給液管理機であって、給液端末機によって設定された計量機による補給液種を給液端末機から受信するとともに、計量機の選択操作された一の給液ノズルを表す信号を計量機から受信し、当該受信した補給液種及び当該選択操作された一の給液ノズルによる供給液種を表示装置の画面上に表示する監視手段と、監視手段による給液端末機からの補給液種の受信又は計量機からの選択操作された一の給液ノズルを表す信号の受信の中、少なくとも何れかの受信に対応して、補給液種又は供給液種が予め設定されている確認液種と一致するか否かを判定する確認要否判定手段と、確認要否判定手段の判定結果に基づいて、補給液種又は供給液種が確認液種と一致する場合には、入力装置を用いた確認操作入力及び当該確認操作入力後の許可操作入力に基づき、計量機の稼動を許可する許可信号を送信する一方、補給液種又は供給液種が確認液種と一致しない場合には、入力装置を用いた確認操作入力を省略し、入力装置を用いた許可操作入力に基づき、計量機の稼動を許可する許可信号を送信する計量機稼動制御手段とを備えていることを特徴とする。
【００１５】
また、本発明は、供給液種が異なる複数の給液ノズルを有する計量機と、当該計量機を用いた給液作業の開始に際して給液対象への補給液種を設定する給液端末機とに通信接続されて設けられ、表示装置及び入力装置を含む給液管理機であって、給液端末機によって設定された計量機による補給液種を給液端末機から受信するとともに、計量機の選択操作された一の給液ノズルを表す信号を計量機から受信し、当該受信した補給液種及び当該選択操作された一の給液ノズルによる供給液種を表示装置の画面上に表示する監視手段と、監視手段による給液端末機からの補給液種の受信に対応して計時を開始し、予め設定されている所定時間以内に、計量機からの選択操作された一の給液ノズルを表す信号の受信がなされたか否かを判定する確認要否判定手段と、確認要否判定手段の判定結果に基づいて、所定時間以内に計量機からの選択操作された一の給液ノズルを表す信号の受信がなされなかった場合には、入力装置を用いた確認操作入力及び当該確認操作入力後の許可操作入力に基づき、計量機の稼動を許可する許可信号を送信する一方、所定時間以内に計量機からの選択操作された一の給液ノズルを表す信号の受信がなされた場合には、入力装置を用いた確認操作入力を省略し、入力装置を用いた許可操作入力に基づき、計量機の稼動を許可する許可信号を送信する計量機稼動制御手段とを備えていることを特徴とする。
【発明の効果】
【００１６】
本発明によれば、給液作業のために顧客が設定した補給液種と顧客により操作された計量機の給液ノズルの供給液種とが一致する場合であっても、補給液種又は供給液種が誤液種給液の起こり易い要注意の確認液種と一致する場合や、顧客が給液端末機を用いた補給液種の設定後に計量機の給液ノズルの操作選択に手間取っている場合は、顧客が設定した補給液種自体に誤りがあり誤液種給液が起こり易い要注意のセルフサービス給液作業であるとして、給液管理者がその給液作業に用いる計量機の稼動を許可する際、顧客が設定した補給液種自体に誤りはないかについての給液管理者による確認が、自動的に念入りに行われることになる。一方、補給液種又は供給液種が誤液種給液の起こり易い要注意の確認液種と一致しない場合や、顧客が補給液種の設定後における供給液種の給液ノズルの操作選択に手間取らなかった場合は、顧客が設定した補給液種自体が誤りである可能性は低いものとして、給液管理者による顧客が設定した補給液種自体に誤りはないかについての給液管理者による確認は、顧客による計量機を用いた給液作業の円滑な実施を損なわないように行われる。
【００１７】
したがって、顧客が設定した補給液種自体の誤りによる誤液種給液が起こり易い要注意のセルフサービス給液作業に対しては、顧客が設定した補給液種自体の確認を、給液管理者は自動的に念入りにかつ確実に実施することとなり、顧客が設定した補給液種自体の誤りに基づく誤液種給液の防止、並びにセルフサービス給液作業の安全性の向上が一層確実にはかれる。
【図面の簡単な説明】
【００１８】
【図１】本発明の一実施の形態に係る給油管理機を適用した給油システムの構成図である。
【図２】図１に示した給油システムにおいて、給油所内通信ネットワークを介して構成機器間で伝送される各種情報の一実施例を示した図である。
【図３】給油管理機の画面表示器に表示される監視画面の一実施例を示した図である。
【図４】セルフサービス給油作業の際、給油端末機の端末機制御装置が行う処理のフローチャートである。
【図５】セルフサービス給油作業の際、計量機の計量機制御装置が行う処理のフローチャートである。
【図６】セルフサービス給油作業の際、顧客が選定する給油エリアの計量機に対応して、給油管理機のコンピュータ装置が行う給油許可管理のフローチャートである。
【図７】セルフサービス給油作業の際、給油管理機のコンピュータ装置が、顧客が選定した給油エリアの計量機に対して行う給油許可管理のフローチャートである。
【図８】図３に示した監視画面とタスクキーが異なる表示態様の監視画面を示したものである。
【発明を実施するための形態】
【００１９】
本発明の給液油管理機の一実施の形態に係る給油管理機を適用した、セルフサービス方式給油所の給油システムについて、図面に基づいて説明する。
【００２０】
図１は、本発明の一実施の形態に係る給油管理機を適用した給油システムの構成図である。
【００２１】
図２は、図１に示した給油システムにおいて、給油所内通信ネットワークを介して構成機器間で伝送される各種情報の一実施例を示した図である。
【００２２】
給油システム１は、給油所内の各給油エリア２に対応させて設置された計量機１０と、各計量機１０と一体的に、又は各計量機１０の近傍に各計量機１０に対応させて設置された給油端末機３０と、給油所内の給油所事務所４等に設置され、これら計量機１０及び給油端末機３０と給油所内通信ネットワーク３を介して通信接続された給油管理機５０とを含んで構成されている。
【００２３】
なお、図１に示した給油システム１では、給油所内の１つの給油エリア２のみを簡略化して記載してある。実際のセルフサービス方式給油所では、給油エリア２は給油所敷地内に複数設置され、計量機１０も、各給油エリア２に対応させて、複数設置されている。
【００２４】
図１に示した給油システム１では、計量機１０は、給油エリア２に停車した給油対象車輌の補給油種の違いにかかわらず、給油対象車輌に燃料油液の補給が行える構成になっている。そのため、計量機１０は、例えばガソリンＧ，ハイオクガソリンＰ，軽油Ｄといった、互いに供給油種が異なる複数の給油系統２０（２０Ｇ，２０Ｐ，２０Ｄ）を一の給油エリア２に対応して備えている。各給油系統２０は、先端に給油ノズル１２を備えた給油ホース１３に油液を供給するポンプ等の送液手段１５と、給油ホース１３と送液手段１５の吐出側との間の送液路に設けられ、給油作業の際に給油ノズル１２から給油対象車両に補給された油量を計測する流量計等の計量手段１４とを有し、各送液手段１５の吸込側は、それぞれ対応する供給油種Ｇ，Ｐ，Ｄの地下タンクに配管を介して連通されている。各給油系統２０の送液手段１５及び計量手段１４は、給油エリア２に隣接して形成されたアイランド５に設置される計量機筐体１１内に収容され、この計量機筐体１１の給油エリア２に臨む筐体面には、計量機１０の各給油系統２０の給油ノズル１２を不使用時に収納しておくノズル掛け１６が備えられている。加えて、各ノズル掛け１６には給油ノズル１２の掛け外しを検出するノズルスイッチ１７が設けられている。
【００２５】
このような互いの供給油種が異なる３つの給油系統２０Ｇ，２０Ｐ，２０Ｄを備えたマルチ式計量機１０は、計量機筐体１１内に設けられた計量機制御装置１８によって計量機各部の作動が制御される。具体的に、計量機制御装置１８は、３つの給油系統２０Ｇ，２０Ｐ，２０Ｄの中から、顧客が給油端末機３０を操作して予め給油作業条件として選定した補給油種に該当する供給油種の１つの給油系統２０についてのみ、給油ノズル１２の操作、及び給油管理機５０から送信される後述する許可信号に基づいて、給油作業を実施できるように送液手段１５を駆動制御する。また、計量機制御装置１８は、この選定された１つの給油系統２０を用いた給油作業の実施に伴って、対応する計量手段１４から出力される流量計測出力に基づいて給油量等の給油データを演算し、計量機筐体１１の筐体面に設けられている給油表示器１９に給油量等を表示制御する。
【００２６】
さらに、計量機制御装置１８は、予め給油作業条件として選定した補給油種に該当する１つの給油系統２０の給油ノズル１２を用いた給油作業が終了したのを、該当するノズルスイッチ１７の出力に基づき検出したときには、該当する給油系統２０による給油量等の給油データを含む給油作業終了情報を、図示せぬ通信ラインを介して給油端末機３０に送信する。加えて、計量機制御装置１８は、計量機１０を用いた給油作業の管理のために、各ノズルスイッチ１７の状態情報を各給油系統２０Ｇ，２０Ｐ，２０Ｄの給油ノズル情報として、給油所内通信ネットワーク３を介して給油管理機５０に送信する。
【００２７】
一方、給油端末機３０は、タッチパネル入力式の画面操作設定器３１，クレジットカード等のカード情報を読み取るカード情報読取機３２，現金紙幣を入金するための現金入金機３３，給油作業終了時に精算伝票を発行する伝票発行機３４，案内音声や警報音声を出力する音声報知器３５，顧客が給油所事務所４内の給油管理者と給油エリア２で会話するためのインターホン３６，給油エリア２に給油対象車輌が停止しているのを検知する車輌検知センサ３７，給油端末機３０の前面に人が立っているのを検知する人検知センサ３８，及びこれら端末機各部を作動制御する端末機制御装置３９を備えた構成になっている。図１に示した給油システム１では、給油端末機３０は、計量機１０の計量機筐体１１に一体的に、一の給油エリア２（一の計量機１０)に対応して設けられている。
【００２８】
端末機制御装置３９は、人検知センサ３８が給油端末機３０の前面に人が立っているのを検知すると、その検知出力を受けて、給油作業条件の入力操作を含む給油作業のための操作案内制御を行う。すなわち、端末機制御装置３９は、顧客が行う給油作業の進行に合わせてその案内を画面操作設定器３１に表示制御し、給油作業の進行状況に対応した各種操作キーをＧＵＩ（Graphical User Interface）として含む操作案内表示画面４０をＯＳＤ（On Screen Display）表示し、その操作に基づく設定内容を今回給油作業における給油作業条件として設定する構成になっている。
【００２９】
例えば、端末機制御装置３９は、まず、精算方法の選定案内メッセージと、「現金（現金払い）」キー，「クレジット（クレジット払い）」キー，「プリカ（プリペイドカード）」キーといった精算方法選択キーとを画面操作設定器３１に表示し、その操作キー入力を取得して対応する精算方法をこれから実施するセルフサービス給油作業の精算方法として設定する。次に、端末機制御装置３９は、補給油種の選定案内メッセージと、「ガソリン」キー，「ハイオクガソリン」キー，「軽油」キーからなる油種選択キーとを画面操作設定器３１に表示し、その操作キー入力を取得して対応する燃料油種をこれから顧客が実施するセルフサービス給油作業の補給油種として設定する。
【００３０】
そして、端末機制御装置３９は、上述した精算方法や補給油種等といった給油作業条件の設定が完了した際には、設定された給油作業条件に含まれる、例えば補給油種やプリセット給油を行う場合のプリセット値等といった送液手段１５を駆動制御するための給油作業情報を、計量機制御装置１８に送信する。同様に、端末機制御装置３９は、当該計量機１０を用いたセルフサービス給油作業の許可管理のために、設定された精算方法や補給油種等といった給油作業条件を含む給油開始情報を、給油所内通信ネットワーク３を介して、給油所事務所４の給油管理機５０にも送信する。図示の例では、端末機制御装置３９は、計量機１０を用いた給油作業の許可管理のために、給油エリア２が空いているか否かに対応する車輌検知センサ３７の検出出力に基づく給油エリア情報も、給油管理機５０にも送信するようになっている。
【００３１】
さらに、端末機制御装置３９は、その後、計量機１０の計量機制御装置１８から設定した給油作業条件による給油作業終了情報が送信されてきたときには、給油作業条件の入力作業の際にカード情報読取機３２によって読み取ったクレジットカード又はプリペイドカードに記憶されているカード情報、又は現金入金機３３に入金された現金入金情報を基に、この給油作業終了情報に含まれる給油データに基づいて、今回給油作業に係る精算処理を行い、伝票発行機３４から顧客に対する給油伝票（精算伝票）を発行させる。また、端末機制御装置３９は、この精算処理結果の内容を含む給油終了情報を、給油所内通信ネットワーク３を介して、給油所事務所４の給油管理機５０や図示せぬ販売時点情報管理機（ＰＯＳ）に送信する。
【００３２】
これら計量機１０の計量機制御装置１８及び給油端末機３０の端末機制御装置３９は、ＣＰＵ，ＲＡＭ，ＲＯＭ，ＯＳＤ制御回路，接続機器との入／出力インタフェース，及び他の装置間との通信インタフェース等を備えたマイクロコンピュータ装置によってそれぞれ構成されている。
【００３３】
加えて、図示の給油システム１では、給油エリア２には、１又は複数の給油エリア２に対応させて該当する給油エリア２の様子、すなわち給油エリア２での給油作業の様子を監視するための監視カメラ４５も配置されている。
【００３４】
これら各給油エリア２に設置された計量機１０及び給油端末機３０に対し、給油所事務所４には、顧客による計量機１０を用いたセルフサービス給油作業の実施を許可管理する給油管理機５０等が設けられている。
【００３５】
給油管理機５０は、画面表示器５２やキーボードやポインティングデバイス等といった入力操作機器５３とを備えた、通信機能を有するコンピュータ装置５１によって構成されている。給油管理機５０の画面表示器５２には、給油エリア２それぞれの、例えば「停止」，「待機中」，「給油待」，「給油中」等といった対応する計量機１０の稼動状況や、給油管理者がこれら計量機のそれぞれ稼動状況に応じて操作可能な、例えば「緊急停止」，「停止」，「カメラ」，「キャンセル（不許可）」，「許可」といったタスクキーを含む監視画面６０が、後述の図３に示すようにＯＳＤ表示される。キーボードやポインティングデバイス等といった入力操作機器５３により、これら監視画面６０自体やその画面上のタスクキーは操作可能になっている。
【００３６】
給油管理機５０を構成するコンピュータ装置５１の通信インタフェースは、給油所内通信ネットワーク３を介して、各給油エリア２の計量機１０の計量機制御装置１８及び給油端末機３０の端末機制御装置３９と接続され、給油管理機５０と各給油エリア２の計量機１０及び給油端末機３０それぞれとの間で、データや信号の送受信が行える構成になっている。
【００３７】
また、図示の例では、給油所事務所４内には、各監視カメラ４５の撮影映像を取得し、そのモニタ画面に各給油エリア２の映像を表示する監視モニタ装置４６も設けられている。監視モニタ装置４６は、信号線４７を介して給油管理機５０とも接続され、給油管理機５０から供給される表示態様の切り替え指示に基づいて、モニタ画面上の各監視カメラ４５が撮影した給油エリア２の映像の表示態様を切り替え可能な構成になっている。
【００３８】
さらに、給油管理機５０には、給油端末機３０のインターホン３６と通信接続可能なインターホン５４が付設され、給油エリア２にいる顧客からの問い合わせを聴いたり、給油エリア２にいる顧客に対して使用する給油ノズル１２の誤りを指摘したり等、給油管理者が給油所事務所４に居ながらにして給油エリア２にいる顧客とコミュニケーションが取れるようになっている。
【００３９】
ところで、給油管理機５０を構成するコンピュータ装置５１の記憶装置には、各給油エリア２の対応する計量機１０の「停止」，「待機中」，「給油待」，「給油中」等といった稼動状況や、計量機１０毎の、給油端末機３０によって設定された補給油種を含む給油作業条件や給油ノズルの操作状態を監視する監視処理、「給油待」状態の計量機に対してその稼動を許可管理する計量機稼動制御処理、等といった各種処理をコンピュータ装置５１の処理装置（ＣＰＵ等）に実行させるための制御プログラムが記憶されている。また、コンピュータ装置５１の記憶装置には、給油エリア２毎に、監視処理によって得られた計量機１０毎の、補給油種を含む給油作業条件やその稼動状況、及び操作状態の給油ノズルによる供給油種、等といったデータを逐次更新しながら記憶しておくための給油管理テーブル等も設けられている。
【００４０】
給油管理機５０は、各給油エリア２の給油端末機３０から送信されてくる給油開始情報，給油終了情報，及び給油エリア情報や、各給油エリア２の対応する計量機１０から送信されてくる給油ノズル情報に基づいて、各給油エリア２及び対応する計量機１０の稼動状況やその給油作業条件等を給油管理テーブルに記憶管理し、その画面表示器５２上に監視画面６０を表示して、給油管理者に報知する。
【００４１】
図３は、給油管理機の画面表示器に表示される監視画面の一実施例を示した図である。
図３に示すように、監視画面６０は、給油所内における各給油エリア２，各アイランド５，各計量機２０，各給油端末機３０それぞれの配置状況を模して、給油作業監視ウィンドウ６１，アイランドアイコン６２，計量機アイコン６３，給油端末機アイコン６４が配置された画面構成になっている。また、この監視画面６０には、給油管理者がこの監視画面６０を用いて行う監視作業に合わせ、入力操作機器５３によって操作可能なタスクキー６５も表示される構成になっている。
【００４２】
図示の例では、給油所内に設けられた９つの給油エリア２（2-1，…，2-9）に対応させて、給油所内におけるそれぞれの配置状況を模して、９つの給油作業監視ウィンドウ６１（61-1，…，61-9）が、監視画面６０上に表示されている。各給油作業監視ウィンドウ６１（61-1，…，61-9）には、給油所内に設けられた９つの給油エリア２の識別番号ｎ（ｎ=1，…，9）が付され、各給油作業監視ウィンドウ６１が給油所内における何れの給油エリア２に該当するものであるのか、識別できるようになっている。
【００４３】
給油エリア２毎に対応した給油作業監視ウィンドウ６１は、その給油エリア２又は対応する計量機１０の稼動状況を表示する稼動状況表示欄６６を備え、給油管理者は、各給油エリア２の対応する計量機１０の稼動状況を、随時、確認できるようになっている。加えて、給油エリア２毎の給油作業監視ウィンドウ６１には、給油作業の実施の都度、給油端末機３０によって顧客が給油作業条件として選定した補給油種を表示する補給油種表示欄（設定油種表示欄）６７，プリセット給油の場合のプリセット給油量や満タン給油の場合の「満タン」を表示する補給油量表示欄（補給態様表示欄）６８，油液補給のために顧客が操作した計量機１０の給油ノズル１２の供給油種（ガソリンＧ，ハイオクガソリンＰ，又は軽油Ｄ）を表示する供給油種表示欄（操作ノズル表示欄）６９がポップアップ表示される構成になっている。これにより、給油管理者は、各顧客が各給油エリア２で給油作業を実施する都度、顧客が給油作業条件として設定した補給油種や補給油量、給油作業の際に顧客が計量機１０のノズル掛け１６から取り出した給油ノズル１２の供給油種を確認できるようになっている。
【００４４】
ここで、稼動状況表示欄６６に表示される給油エリア２及び対応する計量機１０の稼動状況としては、例えば「待機中」，「給油待」，「給油中」，「停止中」といった稼動状況である。その中、「待機中」，「給油待」，「給油中」は、何れも計量機１０自体が電源オン状態で給油作業が行える状態であり、「停止中」は、計量機１０自体が電源オフ状態であることを示している。
【００４５】
「停止中」の表示は、例えば、給油管理機５０のコンピュータ装置５１が、計量機１０が電源オフ状態によって給油所内通信ネットワーク３上でその接続の認識ができなくなっている場合に表示される。したがって、計量機１０の電源がオン状態になり、給油所内通信ネットワーク３上での計量機１０の接続確認がなされると、稼動状況表示欄６６の表示は「停止中」から「待機中」になる。「待機中」の表示は、電源オン状態の給油エリア２の計量機１０に関して、給油エリア２での新たな給油端末機４０の基づく給油作業の開始に備え、計量機１０が待機状態になっていることを示す。「待機中」の表示は、「停止中」の計量機１０が電源オン状態になった場合や、給油作業を行っていた計量機１０について対応する給油端末機３０から給油終了情報が受信され、給油エリア情報に含まれる車輌検知センサ３７の検知信号に基づき給油エリア２から給油対象車輌が退出したのが確認された場合に表示される。「給油待」の表示は、顧客が設定した給油作業条件を含む給油開始情報が給油端末機３０から供給された場合や、計量機１０からの給油ノズル情報に基づき給油ノズル１２がノズル掛け１６から取り出された場合に表示される。また、「給油中」の表示は、この「給油待」状態の対応する計量機１０に関して、監視画面６０に同じく表示されるタスクキー６５の許可キー６５-４が給油管理者により操作され、給油管理機５０から対応する計量機１０にその送液手段１５等の作動を許可する許可信号が送信された場合に表示される。
【００４６】
そして、これら「待機中」，「給油待」，「給油中」，「停止中」といった給油エリア２毎の対応する計量機１０の稼動状況は、給油管理機５０の給油管理テーブルに随時更新記憶されて管理されている。
【００４７】
また、補給油種表示欄６７，補給油量表示欄６８は、対応する給油エリア２の給油端末機３０から給油開始情報が送信されてくると、給油作業監視ウィンドウ６１中にポップアップされ、顧客が給油作業条件として設定した補給油種や補給油量が、その給油作業の間中、確認できるように表示される。
【００４８】
また、供給油種表示欄６９は、対応する給油エリア２の給油端末機３０から給油開始情報に基づき給油ノズル１２がノズル掛け１６から取り出されたのを給油管理機５０のコンピュータ装置５１が検出することによって、給油作業監視ウィンドウ６１中にポップアップされ、顧客が選択操作している給油ノズル１２の供給油種が、その給油作業の間中、確認できるように表示される。
【００４９】
そして、これら補給油種，補給油量，及び供給油種も、対応する給油エリア２の給油作業条件及び給油作業の実施状況として、給油管理機５０の給油管理テーブルに随時更新記憶されて管理されている。
【００５０】
さらに、本実施の形態の場合、給油エリア２それぞれの給油作業監視ウィンドウ６１（61-1，…，61-9）は、タスクキー６５の一種として、対応する給油エリア２の選択キーも兼ねる構成になっている。給油管理者が所望の給油エリア２に対応する給油作業監視ウィンドウ６１を入力操作機器５３により指定操作することによって、当該指定した給油エリア２の計量機１０や給油端末機３０に対し、次に述べるタスクキー６５を用いた所定操作を行える。
【００５１】
図３に示した監視画面６０では、給油エリア２-２に対応する給油作業監視ウィンドウ６１-２を選択した状態で、タスクキー６５として、例えば「緊急停止」，「停止」，「カメラ」，「キャンセル（不許可）」，「許可」といったタスクキー６５（65-1，…，65-5）が表示されている状態を示している。
【００５２】
「緊急停止」キー６５-１は、給油所内の全給油エリア２（2-1，…，2-9）の計量機１０（2-1，…，2-9）の計量機１０-ｍの稼動を、地震発生時等といった緊急時に強制的一時停止させる場合に操作される。この「緊急停止」キー６５-１が操作された場合は、給油管理機５０のコンピュータ装置５１は、給油所内の全給油エリア２（2-1，…，2-9）の計量機１０や給油端末機３０に対し、給油所内通信ネットワーク３を介して緊急停止信号を送信する。この緊急停止信号の受信により、その後、給油管理機５０からの緊急停止解除信号を受信するまで、各計量機１０の計量機制御装置１８は、送液手段１５等の各部を強制的に一時停止状態にし、各給油端末機３０の端末機制御装置３９は、現在給油作業中の給油作業条件等の情報を退避保存し、新たな給油作業の受付（新たな給油作業のための給油作業条件の設定）等を禁止するようになっている。
【００５３】
「停止」キー６５-２は、選択された給油エリア２-２の計量機１０-２や給油端末機３０-２に対し、給油所内通信ネットワーク３を介して停止信号を送信する場合に操作される。この停止信号の受信により、その後、給油管理機５０からの停止解除信号を受信するまで、選択された給油エリア２-２の計量機１０の計量機制御装置１８は、送液手段１５等の各部を強制的に停止状態にし、対応する給油端末機３０の端末機制御装置３９は、現在給油作業中の給油作業条件等の情報を退避保存し、別途新たな給油作業の受付（新たな給油作業のための給油作業条件の設定）を禁止するようになっている。
【００５４】
「カメラ」キー６５-３は、給油エリア２の確認のために、監視モニタ装置４６のモニタ画面上の表示態様を切り替え指示する場合に操作される。「カメラ」キー６５-３が操作された場合は、給油管理機５０のコンピュータ装置５１は、その監視画面６０上に、監視モニタ装置４６のモニタ画像の切り替え操作ウィンドウをポップアップ表示し、モニタ画像の表示態様の切り替えを行えるようにする。給油管理機５０のコンピュータ装置５１は、全給油エリア２の分割表示、所望給油エリア２の拡大表示といったモニタ画像の表示態様が操作設定されると、その表示指示信号を信号線４７を介して監視モニタ装置４６に送信する。給油管理機５０からの表示指示信号を受信した監視モニタ装置４６は、その指示内容に基づいて、モニタ画面を分割して全監視カメラ４５の撮影映像を同時に表示したり、所望の給油エリア２の様子を撮影する監視カメラ４５の撮影映像を拡大表示したりする。
【００５５】
「キャンセル」キー６５-４は、選択された「給油待」の給油エリア２-２の計量機１０-２や給油端末機３０-２に対し、設定された給油作業条件でのセルフサービス給油作業の実施を許可しない場合に操作される。「キャンセル」キー６５-４が操作された場合は、給油管理機５０のコンピュータ装置５１は、給油エリア２-２に対応する給油端末機３０-２及び対応する計量機１０-２に対し、設定されている給油作業条件での給油作業の実施をキャンセルする不許可信号（キャンセル指示）を送信する。その際、給油管理機５０のコンピュータ装置５１は、該当する給油エリア２に関して給油管理テーブルに書き込まれている給油作業条件の記憶内容を消去し、監視画面６０-２の対応する給油作業監視ウィンドウ６１-２の稼動状況表示欄６６の表示を、給油開始情報を受信する前の「待機中」に戻し、補給油種表示欄（設定油種表示欄）６７，補給油量表示欄（給油態様表示欄）６８，供給油種表示欄６９の表示を一旦クリアし、該当する給油エリア２-２の給油端末機３０-２からの新たな給油作業条件を含む給油開始情報の受信に備える。
【００５６】
また、キャンセル指示（給油作業不許可）を受信した給油エリア２の給油端末機３０-２では、端末機制御装置３９が顧客によって先に設定された給油作業条件を破棄し、この給油作業条件に基づく給油処理を中止するともに、給油作業条件として設定した補給油種及び選択操作した給油ノズル１２の供給油種では誤油種給油の恐れがあり、選択操作した給油ノズル１２をノズル掛け１６に掛け戻して給油作業条件の再設定が必要な旨を、画面操作設定器３１の操作案内表示画面４０にメッセージ表示したり、音声報知器３５から発声案内したりして報知する。また、不許可信号（キャンセル指示）を受信した給油エリア２-２の計量機１０-２では、計量機制御装置１８が給油端末機３０から先に供給された給油作業情報を破棄する。このように、選択された給油エリア２-２の給油作業に関して「キャンセル」キー６５-４が操作された場合は、当該給油エリア２-２の顧客は、給油作業条件を給油端末機３０によって設定し直さない限り、計量機１０-２を用いた燃料補給は行えないようになる。
【００５７】
「許可」キー６５-５は、選択された「給油待」の給油エリア２-２の計量機１０-２に対し、設定された給油作業条件でのセルフサービス給油作業の実施を許可する場合に操作される。「許可」キー６５-５は、補給油種表示欄６７に表示された顧客が給油端末機３０-２で給油作業条件として設定した補給油種と、供給油種表示欄６９に表示された顧客が計量機１０-２のノズル掛け１６から取り出した給油ノズル１２からの供給油種とが、給油管理機５０のコンピュータ装置５１によって一致していることの確認がなされた際に、その操作が可能状態になる。「許可」キー６５-５が操作された場合は、給油管理機５０のコンピュータ装置５１は、給油エリア２-２に対応する計量機１０-２に対し、設定されている給油作業条件での給油作業の実施を許可する許可信号を送信する。この許可信号の受信により、選択された給油エリア２-２の計量機１０-２の計量機制御装置１８は、顧客の給油作業条件の設定によって給油端末機３０から供給された給油作業情報に含まれる補給油種と、顧客が選択操作してノズル掛け１６から取り出された給油ノズル１２の供給油種とを比較し、両者が一致する場合は、供給油種すなわち補給油種の給油を実施するべく、対応する送液手段１５を起動する。その際、給油管理機５０のコンピュータ装置５１は、監視画面６０の選択した給油エリア２-２の給油作業監視ウィンドウ６１-２の、稼動状況表示欄６６の表示を「給油待」から「給油中」に変更する。
【００５８】
次に、給油エリア２それぞれで、顧客により行われるセルフサービス給油作業の制御について、給油エリア２-２の計量機１０及び給油端末機３０を用いて行われるセルフサービス給油作業の制御を例に、図４〜８に基づいて説明する。
【００５９】
図４は、セルフサービス給油作業の際、給油端末機の端末機制御装置が行う処理のフローチャートである。
【００６０】
図５は、セルフサービス給油作業の際、計量機の計量機制御装置が行う処理のフローチャートである。
【００６１】
まず、顧客が、顧客車輌を選択した給油エリア２-２に停車させて、給油エリア２-２の給油端末機３０の前面に立つと、端末機制御装置３９は、人検知センサ３８からの人検知出力を受け（図４、ステップS302）、画面操作設定器３１を用いた、補給油種を含む給油作業条件の設定処理を行う（ステップS304）。
【００６２】
その際、端末機制御装置３９は、車輌検知センサ３７の検知出力に基づき、給油エリア２-２に停車した車輌が給油エリア２-２から退出したのを検知した場合は（ステップS312）、今回検出した給油作業は中止されたものとして、給油作業条件の設定処理を中止し、当初の設定待状態に戻る（ステップS314）。また、端末機制御装置３９は、給油作業条件の設定処理途中で、顧客によって設定内容のキャンセル操作がなされた場合は（ステップS316）、始めから設定処理を再開始する。
【００６３】
画面操作設定器３１にＯＳＤ表示される設定案内に基づき、顧客が補給油種を含む給油作業条件の設定入力を完了すると、端末機制御装置３９は、これを検出して（ステップS306）、この設定された給油作業条件を含む給油開始情報を給油所内通信ネットワーク３を介して給油管理機５０に送信するとともに（ステップS308）、補給油種を含む給油作業情報を対応する計量機１０の計量機制御装置１８に送信する（ステップS310）。
【００６４】
その後、端末機制御装置３９は、給油管理機５０から給油所内通信ネットワーク３を介して、給油管理者の「キャンセル」キー６５-４の操作に基づく不許可信号（キャンセル指示）を受信したか否か（ステップS320）、給油管理者の「停止」キー６５-２の操作に基づく停止信号や「緊急停止」キー６５-１の操作に基づく緊急停止信号を受信したか否か（ステップS322）、対応する計量機１０から給油作業終了情報を受信したか否か（ステップS324）を監視する。
【００６５】
計量機１０を用いた給油作業の終了によって、計量機１０から給油作業終了情報を受信すると（ステップS324）、端末機制御装置３９は、先に設定された給油作業条件に含まれる精算方法、及び受信した給油作業終了情報に含まれる給油データに基づいて、今回給油作業に係る精算処理を行い、顧客に対する給油伝票（精算伝票）を伝票発行機３４から発行する（ステップS326）。また、端末機制御装置３９は、この精算処理結果の内容を含む給油終了情報を、給油所内通信ネットワーク３を介して、給油所事務所４の給油管理機５０や図示せぬ販売時点情報管理機（ＰＯＳ）に送信する（ステップS328）。
【００６６】
その後、セルフサービス給油作業を終了した顧客が顧客車輌を給油エリア２-２から移動させ、給油エリア２-２が空くと、端末機制御装置３９は、車輌検知センサ３７の検知出力に基づきこれを検知し（ステップS330）、次のセルフサービス給油作業に備えて、給油作業条件の設定待状態に戻る（ステップS332）。
【００６７】
これに対し、端末機制御装置３９は、給油管理機５０からの不許可信号（キャンセル指示）を受信した場合は（ステップS320）、顧客が設定した給油作業条件による給油作業が誤油種給油等の理由で給油管理者にキャンセルしたものと判断し、既に設定された給油作業条件のキャンセル処理を行う。また、端末機制御装置３９は、給油管理機５０からの停止信号や緊急停止信号を受信した場合は（ステップS322）、給油端末機３０の停止又は緊急停止を行う（ステップS332）。
【００６８】
上述のステップS302〜S306に説明したように、給油エリア２-２で、給油端末機３０を用いてこれから計量機１０を用いて行う給油作業条件を設定完了した顧客は、計量機１０の、設定した補給油種に対応する給油ノズル１２をノズル掛け１６から取り出して、その吐出パイプを顧客車輌の給油口に挿入し、操作レバーを開弁操作して供給油液が吐出されるのを待つ。
【００６９】
これら操作に応じ、計量機１０の計量機制御装置１８は、給油端末機３０の端末機制御装置３９から補給油種を含む給油作業情報を受信したか否かを監視し（図５、ステップS102）、給油作業情報を受信した場合は、給油作業情報に含まれる補給油種を、顧客がこれから給油ノズル１２を選択操作して行う給油作業の補給油種としてその記憶部に設定する（ステップS104）。
【００７０】
その上で、計量機制御装置１８は、互いに供給油種が異なる複数の給油系統２０（２０Ｇ，２０Ｐ，２０Ｄ）の中、顧客により何れの給油系統２０の給油ノズル１２がノズル掛け１６から取り出されて選択操作されたかを、ノズルスイッチ１７の出力に基づき監視するとともに（ステップS106）、給油管理機５０から給油所内通信ネットワーク３を介して、給油管理者の「キャンセル」キー６５-４の操作に基づく不許可信号を受信したか否かを監視している（ステップS108）。そして、計量機制御装置１８は、顧客がノズル掛け１６から給油ノズル１２を取り出したのを検知すると、給油作業情報に基づき設定された補給油種が顧客が選択操作した給油ノズル１２の給油系統２０による供給油種に一致しているか否か（ステップS110）、一致している場合は、さらに、給油管理機５０から給油所内通信ネットワーク３を介して、給油管理者の「許可」キー６５-５の操作に基づく許可信号を受信したか否か（ステップS112）についてもさらに判定する。
【００７１】
この結果、顧客が選択操作した給油ノズル１２の供給油種が給油作業情報に基づき設定された補給油種に一致すると判定され（ステップS110）、かつ、給油管理機５０からの許可信号を受信していると判定された場合は（ステップS112）、顧客が選択操作した給油ノズル１２による給油作業を許可し、給油表示器１９の表示値をリセットするとともに（ステップS114）、対応する送液手段１５を起動する（ステップS116）。このようにして、送液手段１５が起動されると、顧客は、選択操作した給油ノズル１２の操作レバーを開弁操作することによって、給油対象である顧客車両に対する油液の補給（給油ノズル１２への油液供給）が可能になる。なお、上述したステップS112で給油管理機５０からの許可信号を受信する代わりに、給油管理機５０からの不許可信号や給油端末機３０から送信済の給油作業情報のキャンセルといった取消指示を受信した場合、計量機制御装置１８は、ステップS102で給油端末機３０から受信した給油作業情報に基づく給油作業を中止する給油作業取消処理を行う（ステップS118）。
【００７２】
また、顧客が誤って補給油種と異なる供給油種の給油ノズル１２を選択操作してしまった場合は、前述したステップS110で両者の一致が取れないので、顧客がこの異なる供給油種の給油ノズル１２を開弁操作しても、送液手段１５は起動していないので、給油ノズル１２から油液が吐出することはなく、誤油種給油を防止できる。また、図示の例では、顧客が誤って補給油種とは異なる供給油種の給油ノズル１２を選択操作してしまった場合でも、給油管理者からのインターホン５４，３６を用いた指摘等により顧客がその謝りに気付き、謝って選択した給油ノズル１２をノズル掛け１６に戻し、補給油種と一致する供給油種の給油ノズル１２を選択操作し直した場合には（ステップS110）、給油管理機５０からの許可信号又は不許可信号が未受信であれば、同様にして、補給油種と供給油種との一致確認（ステップS110）、及び許可信号の受信の確認（ステップS112）がなされた場合には、給油対象である顧客車両に対する油液の補給（操作し直した給油ノズル１２への油液供給）が可能になる。
【００７３】
このようにして、選択操作された給油ノズル１２での給油が許可され、油液の供給が開始された後は、計量機制御装置１８は、計量手段１４からの流量計測出力に基づき給油量を演算し（ステップS120）、給油表示器１９に表示する（ステップS122）。また、計量機制御装置１８は、この間も、選択操作された給油ノズル１２がノズル掛け１６に掛け戻されたか否か（ステップS124）、給油管理機６０からの停止信号や緊急停止信号を受信した否か（ステップS126）について監視している。そして、顧客が給油作業を終了し、選択操作した給油ノズル１２をノズル掛け１６に掛け戻すと、計量機制御装置１８はこれを検出して（ステップS124）、顧客車輌への燃料補給が終了したものと判断し、対応する給油系統２０の送液手段１５の駆動を停止し（ステップS128）、給油量データを含む給油作業終了情報を給油端末機３０の端末機制御装置３９に送信し（ステップS130）、今回の給油作業に係る給油作業情報をクリアして（ステップS132）、次の給油作業に備える。これに対し、顧客が選択操作した給油ノズル１２を用いて給油作業中であっても、給油管理機５０からの停止信号や緊急停止信号を受信した場合は（ステップS126）、計量機１０の停止又は緊急停止を行う（ステップS134）。
【００７４】
上述したような給油エリア２-２での、顧客による給油端末機３０及び計量機１０を用いたセルフサービス給油作業に対する、給油所事務所４で給油管理者が給油管理機５０を用いて行う許可管理について、図６〜８により説明する。
【００７５】
図６，図７は、セルフサービス給油作業の際、給油管理機のコンピュータ装置が、顧客が選定した給油エリアの計量機に対して行う給油許可管理のフローチャートである。
【００７６】
図８は、図３に示した監視画面とタスクキーが異なる表示態様の監視画面を示したものである。
【００７７】
給油管理機５０のコンピュータ装置５１は、給油エリア毎に、例えば給油エリア２-２については、対応する給油端末機３０-２から送信される給油開始情報により補給油種を取得したか（ステップS502）、又は対応する計量機１０-２から送信されるノズル情報に基づいて顧客が選択操作した一の給油ノズル１２の供給油種を取得したか（ステップS504）を監視している。給油管理機５０のコンピュータ装置５１は、この監視によって、例えば、給油端末機３０-２から送信される給油開始情報により補給油種を取得した場合は、給油管理テーブルにおける給油エリア２-２に係る稼動状況欄を「待機中」から「給油待」に更新記憶し、同じく給油管理テーブルにおける給油エリア２-２に係る補給油種欄に、この取得した補給油種、例えば「軽油」を更新記憶する（ステップS510）。
【００７８】
コンピュータ装置５１は、図３及び図８に示した監視画面６０の給油エリア２-２に対応する稼動状況表示欄６６の表示を「待機中」から「給油待」に変更するとともに、給油作業監視ウィンドウ６１-２に、この一の給油ノズル１２の補給油種、すなわち「軽油」の補給油種表示欄６７をポップアップ表示し、顧客が給油作業条件として設定した補給油種を、給油管理者が確認できるようになっている（ステップS512）。
【００７９】
その上で、コンピュータ装置５１は、顧客が給油端末機３０-２を操作して給油作業条件を設定してから対応する計量機１０-２の給油ノズル１２を選択操作するまでの時間を計時するため、内蔵の計時タイマの計時を開始する（ステップS514）。
【００８０】
その後、給油管理機５０のコンピュータ装置５１は、この給油エリア２-２について、対応する計量機１０-２から送信されるノズル情報に基づき、顧客が選択操作した一の給油ノズル１２の供給油種を取得すると（ステップS516）、この給油エリア２-２に関して、先に計時開始した計時タイマの計時を停止させて、顧客が給油端末機３０-２を操作して給油作業条件を設定してから、対応する計量機１０-２の給油ノズル１２を選択操作するまでの作業時間を取得する（ステップS518）。また、コンピュータ装置５１は、この作業時間の取得と併せて、給油管理テーブルにおける給油エリア２-２に係る供給油種欄に、この取得した供給油種を更新記憶し（ステップS520）、図３及び図８に示した監視画面６０の給油エリア２-２に対応する給油作業監視ウィンドウ６１-２に、この一の給油ノズル１２による供給油種の供給油種表示欄６９を、顧客が操作している給油ノズル１２の供給液種を給油管理者が確認できるように、ポップアップ表示する（ステップS522）。これにより、給油管理者は、供給油種表示欄６９に表示されている供給油種だけではなく、給油作業監視ウィンドウ６１-２上で補給油種と供給油種とを対比確認できるようになる。
【００８１】
そして、コンピュータ装置５１は、給油管理テーブル上に補給油種及び供給油種が取得された給油エリア２-２に関して、補給油種と供給油種とが一致するか否かを確認する（ステップS524）。この確認によって、コンピュータ装置５１は、両者が一致しない場合は、油種相違処理を実行し、図３及び図８に示した監視画面６０上でその旨を報知し、給油エリア２-２でのセルフサービス給油作業で誤油種給油が発生する可能性があることを給油管理者に知らせる（ステップS526）。コンピュータ装置５１は、例えば、監視画面６０の給油エリア２-２に対応する給油作業監視ウィンドウ６１-２の表示色を所定の警報色に変化させる等によって、給油管理者の注意を喚起する。
【００８２】
これに対し、給油エリア２-２に関して補給油種と供給油種とが一致する場合は、その後、例えば、給油管理者が、給油エリア２-２の顧客のセルフサービス給油作業を許可又はキャンセルするために、給油作業監視ウィンドウ６１-２の稼動状況表示欄６６に表示されている「給油待」の表示に基づき、給油作業監視ウィンドウ６１-２を選定した場合に、給油管理機５０のコンピュータ装置５１は、前述した補給油種と供給油種との一致結果を基に、給油管理テーブルに上述のようにして記憶されている、今回の給油エリア２-２を用いた給油作業に係り取得した補給油種等の情報を基に、その補給油種又は供給油種が、その記憶部に予め設定記憶されている確認油種（例えば、軽油）と一致するか否かについて、さらに確認する（ステップS530）。この確認により、補給油種及び供給油種が確認油種と一致する場合には、コンピュータ装置５１は、監視画面６０のタスクキー６５として、図３に示すように「許可」キー６５-５ではなく、図８に示すように「確認」キー６５-６を表示する（ステップS532）。また、補給油種及び供給油種が確認油種と一致していない場合には、コンピュータ装置５１は、さらに計時タイマの計時時間、すなわち顧客が給油端末機３０を操作して給油作業条件を設定してから、対応する計量機１０の給油ノズル１２を選択操作するまでの時間が、予め設定された所定時間を超えているか否か、を判別する（ステップS534）。そして、計時時間がこの所定時間を超えている場合は、コンピュータ装置５１は、監視画面６０のタスクキー６５として、図８に示すような「確認」キー６５-６を表示するのに対し（ステップS532）、計時時間がこの所定時間を超えていない場合には、監視画面６０のタスクキー６５として、図３に示すような「許可」キー６５-５を表示する（ステップS540）。
【００８３】
この結果、コンピュータ装置５１は、補給油種及び供給油種が予め定められた確認油種である場合や、又は給油ノズル１２の選択操作に必要以上の時間がかかっている場合は、監視画面６０のタスクキー６５として、図３に示すように「許可」キー６５-５ではなく、図８に示すような「確認」キー６５-６を一旦表示するのに対し（ステップS532）、供給油種が確認油種ではなく、また給油ノズル１２の選択操作も順調に行われた場合には、図８に示すようナ「確認」キー６５-６ではなく、図３に示すような「許可」キー６５-５を表示することになる（ステップS540）。
【００８４】
そして、コンピュータ装置５１は、監視画面６０のタスクキー６５として「確認」キー６５-６を表示している場合には、監視画面６０上の「確認」キー６５-６が操作されたか（ステップS536）、又は「キャンセル」キー６５-４が操作されたか（ステップS538）について監視する。コンピュータ装置５１は、この監視によって、給油管理者によって「確認」キー６５-６が操作された場合には、監視画面６０上に「確認」キー６５-６に代えて、図３に示すような「許可」キー６５-５を表示する（ステップS540）。一方、「キャンセル」キー６５-４が操作された場合には、コンピュータ装置５１は、今回給油作業の開始に当たって、給油端末機３０-２から先に供給された給油エリア２-２における給油開始情報に含まれていた給油作業条件をキャンセルして、対応する給油端末機３０-２及び計量機１０-２の作動状態をリセットするために、給油端末機３０-２に対して不許可信号（キャンセル指示）を送信する。したがって、「キャンセル」キー６５-４が操作された場合は、コンピュータ装置５１により、給油エリア２-２についての今回の給油作業条件はキャンセルされるので、監視画面６０上の「確認」キー６５-６は、その表示が消され、又はその表示は残っていても操作不能になる。
【００８５】
同様にして、コンピュータ装置５１は、監視画面６０のタスクキー６５として「許可」キー６５-５を表示している場合には、監視画面６０上の「許可」キー６５-５が操作されたか（ステップS542）、又は「キャンセル」キー６５-４が操作されたか（ステップS544）について監視する。コンピュータ装置５１は、この監視によって、給油管理者によって「許可」キー６５-５が操作された場合には、給油エリア２-２での今回の給油作業を許可するために、計量機１０-２に対して許可信号を送信する。これにより、計量機１０-２は、送液手段としてのポンプ１５の起動が計量機制御装置１８によって許可されないことになり、給油ノズル１２から油液が吐出されることはない。一方、「キャンセル」キー６５-４が操作された場合には、コンピュータ装置５１は、給油端末機３０-２に対して不許可信号が送信する。これにより、コンピュータ装置５１により、給油エリア２-２についての今回の給油作業条件はキャンセルされるので、監視画面６０上の「許可」キー６５-５は、その表示が消され、又はその表示は残っていても操作不能になる。
【００８６】
以上は、給油管理機５０のコンピュータ装置５１による給油エリア毎の給油管理制御において、計量機１０-２から送信される顧客が選択操作した一の給油ノズル１２による供給油種の取得（ステップS504）に対して、給油端末機３０-２から送信される給油開始情報による補給油種の取得（ステップS502）が先行する場合について述べたが、図７は、逆に、給油端末機３０-２から送信される給油開始情報による補給油種の取得（ステップS502）に対して、計量機１０-２から送信される顧客が選択操作した一の給油ノズル１２による供給油種の取得（ステップS504）が先行する場合について、給油管理機５０のコンピュータ装置５１が行う給油許可管理を示したものである。
【００８７】
この場合も、給油管理機５０のコンピュータ装置５１は、供給油種の取得（ステップS504）と補給油種の取得（ステップS546）が入れ替わるだけで、確認油種に対する補給油種及び供給油種の確認、監視画面６０上の「確認」キー６５-６や「許可」キー６５-５の操作制御について変わりないので、その詳細な説明は省略する。
【００８８】
このような給油管理機５０によれば、補給油種又は供給油種が確認油種である場合には、監視画面６０のタスクキー６５として、図３に示すように「許可」キー６５-５ではなく、図８に示すような「確認」キー６５-６を表示される（ステップS532，S572）。
【００８９】
これにより、給油管理者は、供給油種表示欄６９に表示されている供給油種だけではなく、給油作業監視ウィンドウ６１-２上で補給油種と供給油種とを対比確認しても両者が一致している場合であっても、補給油種及び供給油種が誤油種給液の起こり易い要注意の確認液種と一致する場合は、「許可」キー６５-５に代えて「確認」キー６５-６が表示されるので、給油管理者は、この「確認」キー６５-６の表示に基づいて、監視モニタ装置４６のモニタ画面上に給油エリア２-２を撮影する監視カメラ４５の撮影画像を拡大表示する等して、顧客車両や顧客が選択操作した給油ノズル１２を参照し、補給油種及び供給液種が誤りでないかを確認することができる。
【００９０】
また、「確認」キー６５-６を操作した場合であっても、給油作業を許可するためには、「許可」キー６５-５が表示されて「許可」キー６５-５の操作が必要となるので、補給油種及び供給油種が誤油種給液の起こり易い要注意の確認液種と一致することを、実際の給油作業の許可前に、給油管理者に再び喚起させることができる。
【００９１】
なお、監視モニタ装置４６による給油エリア２-２の撮影画像の拡大表示への切り替えは、給油管理者の「カメラ」キー６５-３を使用したマニュアル操作によらず、コンピュータ装置５１による確認油種との一致判定（ステップS546，S570）に基づき、コンピュータ装置５１が自動的に行うことも可能である。
【００９２】
上述した給油管理機５０によれば、セルフサービス方式の給油所において、顧客が設定した補給油種若しくは顧客が選択操作した計量機１０の給油ノズル１２の供給油種が予め設定した確認油種である場合、又は顧客がセルフサービス給油作業で設定した補給油種に対応する計量機１０の給油ノズル１２の選択操作（選定）に手間取っている場合は、給油管理者によるセルフサービス給油作業の許可操作の前に、別途給油管理者による確認操作が必要になっているので、誤油種給油が起こり易い油種のセルフサービス給油作業に関して、給油管理者の注意を喚起し、給油管理者による確認が自動的に念入りに行われるようになる。
【００９３】
なお、本発明に係る給油管理機５０の構成については、上述した実施の形態にかかわらず、種々の変形例が可能である。
【００９４】
例えば、上述した実施の形態では、顧客が設定した補給油種若しくは顧客が選択操作した計量機１０の給油ノズル１２の供給油種が予め設定した確認油種である場合、又は顧客がセルフサービス給油作業で設定した補給油種に対応する計量機１０の給油ノズル１２の選択操作（選定）に手間取っている場合に、給油管理者によるセルフサービス給油作業の許可操作の前に、別途給油管理者による確認操作が必要になる構成としたが、いずれか一方の場合だけ、確認操作が必要になる構成となる構成としてもよい。
【符号の説明】
【００９５】
１  給油システム、  ２  給油エリア、  ３  給油所内通信ネットワーク、
４  給油所事務所、  ５  アイランド、  １０  計量機、  １１  計量機筐体、
１２  給油ノズル、  １３  給油ホース、  １４  計量手段、  １５  送液手段、
１６  ノズル掛け、  １７  ノズルスイッチ、  １８  計量機制御装置、
１９  給油表示器、  ２０（２０Ｇ，２０Ｐ，２０Ｄ）  給油系統、
３０  給油端末機、  ３１  画面操作設定器、  ３２  カード情報読取機、
３３  現金入金機、  ３４  伝票発行機、  ３５  音声報知器、
３６  インターホン、  ３７  車輌検知センサ、  ３８  人検知センサ、
３９  端末機制御装置、  ４０  操作案内表示画面、  ４５  監視カメラ、
４６  監視モニタ装置、  ４７  信号線、  ５０  給油管理機、
５１  コンピュータ装置、  ５２  画面表示器、  ５４  インターホン、
６０  監視画面、  ６１  給油作業監視ウィンドウ、  ６２  アイランドアイコン、
６３  計量機アイコン、  ６４  給油端末機アイコン、  ６５  タスクキー、
６５-４  「キャンセル」キー、  ６５-５  「許可」キー、
６５-６  「確認」キー、  ６６  稼動状況表示欄、  ６７  補給油種表示欄、
６８  補給油量表示欄、  ６９  供給油種表示欄
【図１】
2010241469.tif 000003
【図２】
2010241469.tif 000004
【図３】
2010241469.tif 000005
【図４】
2010241469.tif 000006
【図５】
2010241469.tif 000007
【図６】
2010241469.tif 000008
【図７】
2010241469.tif 000009
【図８】
2010241469.tif 000010